(57)【要約】【課題】プロジェクタタイプの光投射ユニットに比べて大きな正面面積のアウタカバーを有するヘッドランプでも、アウタカバーの周縁も光るようにして、ヘッドランプの点灯時の見栄えを良くする。【解決手段】アウタカバー（１８）とランプボディ（１２）からなる灯室内に、光源（１８）を収容した光投射ユニット（２０）を備えるヘッドランプにおいて、光投射ユニットは、反射鏡（２８）と、反射鏡の前縁に固定されたレンズホルダ（３０）と、レンズホルダの前縁に固定された凸レンズ（３４）とを備え、レンズホルダの下側半分にスリット（７０）を設ける。スリットからの漏光（８０）をアウタカバーの周縁部に導くために、スリットの下側から前方へ延びるエクステンションリフレクタ（５４）と、エクステンションリフレクタの上側のアルミニウム板（６８）とが配置される。【選択図】　　図１
2004095294.tif 000002
【特許請求の範囲】
【請求項１】
アウタカバーとランプボディからなる灯室内に、光源を収容した光投射ユニットを備えるヘッドランプにおいて、前記光投射ユニットには、前記光源から発する光の一部をアウタカバーの周縁付近に向けて漏光させる開口を設けたことを特徴とするヘッドランプ。
【請求項２】
前記光投射ユニットは、反射鏡と、該反射光の前縁に固定されたレンズホルダと、該レンズホルダの前縁に固定された凸レンズとを備え、前記レンズホルダに前記開口を設けたことを特徴とする請求項１に記載のヘッドランプ。
【請求項３】
前記開口は、前記レンズホルダの下側半分に設けられたスリットであり、前記灯室内には、前記スリットの下側から前方へ延びるエクステンションリフレクタと、該エクステンションリフレクタの上側に配置された漏光誘導体とが設けられたことを特徴とする請求項２に記載のヘッドランプ。
【発明の詳細な説明】
【０００１】
【発明の属する技術分野】
本発明は、プロジェクタタイプの光投射ユニットを備える車両用ヘッドランプに関する。
【０００２】
【従来の技術】
図４は、プロジェクタタイプの光投射ユニットを備える車両用ヘッドランプの一例を示す縦断面図である。このヘッドランプ１０は、容器状のランプボディ１２と、ランプボディ１２の前面を閉鎖するアウタカバー（アウタレンズ）１４とから灯室１６が形成され、この灯室１６内にプロジェクタタイプの光投射ユニット２０が配置される。光投射ユニット２０は、略楕円体形状の反射鏡２８と、反射鏡２８の前縁に固定されたレンズホルダ３０と、レンズホルダ３０に固定された凸レンズ３４と、反射鏡２８の１つの焦点Ｆ１に配置された光源１８とからなる。この光源１８は放電バルブであるので、ヘッドランプ１０の下部の室２４に、放電バルブの放電電流を安定させるバラスト回路２２を備えている。
【０００３】
灯室１６の前部には、凸レンズ３４を取り囲んで、凸レンズ３４の周囲からアウタカバー１４の周囲にかけてイクステンションルフレクタ２６が設けられている。このイクステンションリフレクタ２６は、光投射ユニット２０の周縁の隙間から灯室１６の奥部が見えないようにして、ヘッドランプ１０の見栄えを良くするものである。
【０００４】
このヘッドランプ１０を点灯すると、凸レンズ３４の焦点と反射鏡２２のもう１つの焦点Ｆ２とは一致させてあるので、光源１８から発した光Ｌは、反射鏡２８によって、もう１つの焦点Ｆ２に集光され、さらに、凸レンズ３４によって平行光線にされて、ヘッドランプ１０の光軸Ａｘに沿って前方へ出射される。このさい、光源１８の前方にシェード３６が配置されていて、ヘッドランプ１０に定められた配光性を与えている。
【０００５】
【発明が解決しようとする課題】
ところで、前述の光投射ユニット２０を備えるヘッドランプ１０は、前述したような構造のため、光投射ユニット２０に比べて大きな正面面積のアウタカバー１４を有する場合、光源１８から発した光がアウタカバー１４の周縁に届き難く、アウタカバー１４の周縁が暗くて、ヘッドランプ１０の点灯時の見栄えが寂しいという問題があった。
【０００６】
本発明は、前記問題に鑑みてなされたものであり、プロジェクタタイプの光投射ユニットを備えるヘッドランプにおいて、光投射ユニットに比べて大きな正面面積のアウタカバーを有する場合でも、アウタカバーの周縁付近も光るようにして、ヘッドランプの点灯時の見栄えを良くすることを課題とする。
【０００７】
【課題を解決するための手段】
前記課題を解決するため、請求項１に係る発明では、アウタカバーとランプボディからなる灯室内に、光源を収容した光投射ユニットを備えるヘッドランプにおいて、前記光投射ユニットには、前記光源から発する光の一部をアウタカバーの周縁付近に向けて漏光させる開口を設けたことを特徴とする。このことによって、光投射ユニットからの漏光が、ヘッドランプのアウタカバーの周縁付近にも届いて、アウタカバーの周縁も光るようになる。
【０００８】
請求項２に係る発明では、請求項１に係る発明において、前記光投射ユニットは、反射鏡と、該反射光の前縁に固定されたレンズホルダと、該レンズホルダの前縁に固定された凸レンズとを備え、前記レンズホルダに前記開口を設けたことを特徴とする。このことによって、レンズホルダは、光源の斜め前方に位置するので、開口からの漏光がちょうどアウタカバーの周縁付近に届いて、アウタカバーの周縁も光るようになる。
【０００９】
請求項３に係る発明では、請求項２に係る発明において、前記開口は、前記レンズホルダの下側半分に設けられたスリットであり、前記灯室内には、前記スリットの下側から前方へ延びるエクステンションリフレクタと、該エクステンションリフレクタの上側に配置された漏光誘導体とが設けられたことを特徴とする。このことによって、スリットからヘッドランプの配光性に影響を与えない程度の光を光投射ユニットの下方へ広く漏光でき、しかも、この漏光がアウタカバーの下側周縁に直接届かない場合でも、この漏光をエクステンションリフレクタと漏光誘導体との間を反射させながら確実にアウタカバーの周縁付近に誘導でき、アウタカバーの周縁を確実に光らせることができる。
【００１０】
【発明の実施の形態】
次に、本発明の実施の形態を図面に基づいて説明する。
【００１１】
図１は、本発明の一実施例に係るヘッドランプの縦断面図であり、図２は、前記実施例に係るヘッドランプの光投射ユニットの正面図であり、図３は、前記実施例に係るヘッドランプにおいて、光投射ユニットの前にインナレンズを配置したときの正面図である。
【００１２】
本実施例のヘッドランプ１００は、容器状のランプボディ１２と、ランプボディ１２の前面を閉鎖するアウタカバー１４とから灯室１６が形成される。この灯室１６内には、プロジェクタタイプの光投射ユニット２０が図示しないエイミング機構によって支持される。光投射ユニット２０は、略楕円体形状の反射鏡２８と、反射鏡２８の前縁にねじ５１等により固定されたレンズホルダ３０と、レンズホルダ３０に固定された凸レンズ３４と、反射鏡２８の１つの焦点Ｆ１に配置された放電バルブ等の光源１８と、ヘッドランプ１００に定められた配光性を与えるシェード３６から構成される。この構成は、従来のものと同じである。
【００１３】
また、本実施例のヘッドランプ１００では、光投射ユニット２０の前部を突出させる開口５６を設けた第１エクステンションリフレクタ５４と、光投射ユニット２０の前縁周囲と第１エクステンションリフレクタ５４の開口５６周縁との間の隙間を塞ぐ第２エクステンションリフレクタ５８を備えている。これらのエクステンションリフレクタ５４、５８は、樹脂製で表面にアルミニウムが蒸着され、このアルミニウム蒸着面にスモーク塗装が施されたものであり、光投射ユニット２０の周縁の隙間からヘッドランプ１００の内部を外部から見えないように隠すとともに、ヘッドランプ１００の見栄えを良くするものである。もちろん、これらのエクステンションリフレクタ５４、５８表面には、アルミニウム以外の金属を蒸着することも可能である。以下、ヘッドランプ１００の各部の表裏については、ヘッドランプ１００の外部から見える面を表面と言い、ヘッドランプ１００の外部から見えない面を裏面と言うことにする。
【００１４】
また、光投射ユニット２０の前方には、光投射ユニット２０の位置する部分にのみ開口６２が開けられたポリカーボネート製のインナレンズ６０が配置され、このインナレンズ６０の周縁は、第１エクステンションリフレクタ５４の前縁に溶着等によって固定されている。このインナレンズ６０は、灯室１６内に配置されるクリアランスランプ７８に所定の色と配光性を付与するものである。インナレンズ６０の下縁６９付近の内面には、光投射ユニット２０に向けて、正面から見て略円弧状の断面の透明なポリカーボネート製の突片６４が一体に突設してある。この突片６４は、その先端が第１エクステンションリフレクタ５４と第２エクステンションリフレクタ５８と間の隙間６６付近に位置し、その表面には、さび難いようにアルマイト処理されたアルミニウム板６８が接着剤又は係止爪によって張られている。もちろん、このアルミニウム板６８の代りに、他の金属板を張ることも可能である。
【００１５】
レンズホルダ３０の下面の略半周には、光軸を中心とした円周方向にスリット７０が開けられている。このため、光源１８から発した光の大部分は、凸レンズ２７を透過してヘッドランプ１００の前方へ出射されるのであるが、その光の一部は、スリット７０からの漏光８０となる。この漏光８０は、アルミニウムが蒸着された第１エクステンションリフレクタ５４と第２エクステンションリフレクタ５８との間の隙間６６から、第１エクステンションリフレクタ５４の表面に入射し、第１エクステンションリフレクタ５４と第２エクステンションリフレクタ５８の両表面間を反射しながら、さらに、第１エクステンションリフレクタ５４の表面と、アルミニウム板６８との間をも反射しながら少ない損失で前方へ進む。このように、アルミニウム板６８が張られた突片６４は、第１エクステンションリフレクタ５４とともに、漏光８０をヘッドランプの前方に導く漏光誘導体として機能する。
【００１６】
この漏光８０は、インナレンズ６０の下縁６９付近に入射し、インナレンズ６０の光投射ユニット２０よりも下方部分７２（図３参照）を光らせるので、アウタカバー１４の下方部分も光ることになる。ところで、スリット７０の幅をあまり広くすると、多量の漏光８０が予期せぬ方向へ出射して、ヘッドランプの配光性を損なう恐れがあるので、このスリット７０の幅は、ハロゲンランプでも灯具全体が光って見え、ディスチャージランプでもグレア光とならないようにすることが好ましく、本実施例では５ｍｍ程としている。
【００１７】
また、クリアランスランプ７８は、車両の左右両端位置を示すためのもので、光投射ユニット２０の消灯中でも点灯中でも常に点灯しているものであるから、クリアランスランプ７８から発した光も、インナレンズ６０の光投射ユニット２０よりも上方部分７４（図３参照）に入射し、この上方部分を光らせるので、アウタカバー１４の上方部分も光ることになる。
【００１８】
このため、光投射ユニット２０に比べて大きな正面面積のアウタカバー１４を有するヘッドランプ１００において、光投射ユニット２０から出射する光が届き難いアウタカバー１４の周縁、特にその上方部分と下方部分にも、夫々、クリアランスランプから発する光、光投射ユニット２０からの漏光８０が届くので、アウタカバー１８全体が光り、このヘッドランプの見栄えが向上する。
【００１９】
ところで、本発明は、前記実施例に限るものではなく、種々の変形が可能である。たとえば、漏光８０を得るためのスリット７０は、漏光８０をアウタカバー１８の周縁付近に導くことができるならば、光投射ユニット２０のレンズホルダ３０以外の個所に開けてもよい。また、スリット７０の代わりに、円形等の適宜形状の開口を所定ピッチで開けてもよい。さらに、漏光誘導体としては、インナレンズ６０の突片６４にアルミニウム板６８を張る代わりに、突片６４の表面にアルミニウム等の金属を蒸着してもよい。
【００２０】
【発明の効果】
本発明は以上のように構成されているので、請求項１に係る発明によれば、アウタカバーとランプボディからなる灯室内に、光源を収容した光投射ユニットを備えるヘッドランプにおいて、光投射ユニットには、光源から発する光の一部をアウタカバーの周縁付近に向けて漏光させる開口を設けたから、光投射ユニットからの漏光が、ヘッドランプのアウタカバーの周縁付近に届き、アウタカバーの周縁付近も光り、ヘッドランプの点灯時の見栄えが良くなる。
【００２１】
請求項２に係る発明によれば、さらに、レンズホルダに光源から発する光の一部を漏光させる開口を設けたから、この開口は光源の斜め前方に位置することになって、この開口からの漏光がちょうどアウタカバーの周縁付近に届いて、アウタカバーの周縁も光り、ヘッドランプの点灯時の見栄えが良くなる。
【００２２】
請求項３に係る発明によれば、さらに、前記開口は、レンズホルダの下側半分に設けられたスリットであり、前記灯室内には、前記スリットの下側から前方へ延びるエクステンションリフレクタと、該エクステンションリフレクタの上側に配置された漏光誘導板とが設けられたから、スリットからヘッドランプの配光性に影響を与えない程度の漏光を光投射ユニットの下方へ広く漏光でき、しかも、この漏光がアウタカバーの下側周縁に直接届かない場合でも、この漏光が、エクステンションリフレクタと漏光誘導板との間を反射しながら確実にアウタカバーの周縁付近に誘導される。よって、ヘッドランプの前面の周縁を確実に光らせることができ、ヘッドランプの点灯時の見栄えが良くなる。
【図面の簡単な説明】
【図１】本発明の一実施例に係るヘッドランプの縦断面図である。
【図２】前記実施例に係るヘッドランプの光投射ユニットの正面図である。
【図３】前記実施例に係るヘッドランプのインナレンズと光投射ユニットの正面図である。
【図４】従来のヘッドランプの縦断面図である。
【符号の説明】
１２　　　ランプボディ
１４　　　アウタカバー
１８　　　光源
２０　　　光投射ユニット
２８　　　反射鏡
３０　　　レンズホルダ
３４　　　凸レンズ
５４　　　第１エクステンションリフレクタ（エクステンションリフレクタ）
６４　　　突片（漏光誘導体）
６８　　　アルミニウム板（漏光誘導体）
７０　　　スリット（開口）
【図１】
2004095294.tif 000003
【図２】
2004095294.tif 000004
【図３】
2004095294.tif 000005
【図４】
2004095294.tif 000006